(57)【特許請求の範囲】
【請求項１】
（ａ）可撓性及び伸縮性を有する第１シート体の一方の面に、非透水性のフィルムを形成する工程と、
（ｂ）可撓性及び伸縮性を有する第２シート体の一方の面に、非透水性のフィルムを形成する工程と、
（ｃ）前記工程（ａ）で形成した前記フィルムの表面に、クリーム状又はジェル状の美容材を塗布する工程と、
（ｄ）前記工程（ｃ）の後、前記工程（ａ）及び（ｂ）で形成した前記フィルムの間に前記美容材が挟まれるように、前記第１シート体と前記第２シート体とを重ねる工程と、
（ｅ）前記工程（ｄ）で前記美容材を挟んだ前記第１シート体及び前記第２シート体を所定形状に切り抜く工程と、
を備える、フェイスパッドの製造方法。
【請求項２】
前記工程（ａ）及び（ｂ）では、前記一方の面に、前記フィルムとしてポリウレタンフィルムを接着剤で貼着する、請求項１に記載のフェイスパッドの製造方法。
【請求項３】
前記工程（ａ）及び（ｂ）では、溶融したポリエチレンを前記一方の面に塗布し、塗布したポリエチレンを乾燥させることにより、前記フィルムとしてポリエチレンフィルムを形成する、請求項１に記載のフェイスパッドの製造方法。
【発明の詳細な説明】
【技術分野】
【０００１】
本発明は、顔の皮膚に美容材を供給する際に顔面に載置して使用されるフェイパッドに関する。
【背景技術】
【０００２】
従来より、顔の皮膚にクリーム状又はジェル状の美容材を供給する際に使用される美容用具として、化粧用シート体であるフェイスマスクが使用されている（例えば、特許文献１参照。）。フェイスマスクは、１枚のシート体から構成され、目に対向する部分、鼻に対向する部分及び口に対向する部分に切り込みや孔部が形成されており、美容材を含浸又は塗布して顔面に載置される。
【０００３】
また、従来のフェイスマスクとして、目尻や頬等の顔面の一部のみに美容材を供給する目的で、例えば、眼の下等に載置するために専用の形状を呈した小型のフェイスパッドがある。
【０００４】
顔面は略左右対称形状であるため、小型のフェイスパッドは２枚１組のシート体で構成される場合が多い。
【先行技術文献】
【特許文献】
【０００５】
【特許文献１】特開２００２−１７２０２２号公報
【発明の概要】
【発明が解決しようとする課題】
【０００６】
しかし、従来の小型のフェイスパッドは、例えば不織布を素材とする２枚のシート体のそれぞれの片面にクリーム状、ジェル状又は液状の美容材を塗布し、離型紙又は離型フィルムを貼付していた。このため、使用時に２枚のシート体のそれぞれから離型紙又は離型フィルムを剥がす必要があり、使用時の作業が煩雑になるとともに、シート体から剥がされた離型紙又は離型フィルムに付着した美容材が無駄になる。また、シート体は顔面の凹凸に沿って密着するように可撓性及び伸縮性を有する不織布等を素材としているため、片面に塗布された美容材がシート体の内部に浸透し、十分な量の美容材を顔面の皮膚に作用させることができない。
【０００７】
この考案の目的は、２枚のシート体の間に保持した美容材を無駄なく顔面の皮膚に作用させることができるフェイスパッドを提供することにある。
【課題を解決するための手段】
【０００８】
この発明のフェイスパッドは、クリーム状又はジェル状の美容材を、可撓性及び伸縮性を有するシート体に担持された２枚のフィルムの間に保持したものである。例えば、一方の面にフィルムを貼着した可撓性及び伸縮性を有する２枚のシート体と、互いの一方の面を対向させた２枚のシート体の間に保持されるクリーム状又はジェル状の美容材と、からなる。
【０００９】
この構成では、クリーム状又はジェル状の美容材が２枚のシート体のそれぞれに貼着されたフィルムに挟まれて２枚のシート体の間に保持される。美容材は、フィルムに阻止されてシート体に浸透することがない。２枚のシート体を分離した際に、それぞれのフィルムに塗布されている美容材の量の和は、分離前の２枚のシート体の間に保持されていた美容材の全量に等しい。各シート体を顔面に載置すると、フィルムによって顔面からの放熱が妨げられ、美容材の温度が上昇することで美容効果が向上する。
【００１０】
この構成において、フィルムは、１５μｍ程度の厚さのポリウレタンフィルムとすることが好ましい。シート体に対する貼着作業を容易に行うことができるとともに、シート体の伸縮性及び可撓性を損なうことがない。また、ポリエチレンフィルムよりも表面粗さが大きく、美容材を容易に塗布できる。
【発明の効果】
【００１１】
この発明によれば、２枚のシート体の間に保持した美容材を無駄なく顔面の皮膚に作用させることができる。
【図面の簡単な説明】
【００１２】
【図１】この発明の実施形態に係るフェイスパッドの断面図である。
【図２】（Ａ）〜（Ｄ）は、同フェイスパッドの製造工程を示す断面図である。
【図３】同フェイスパッドの分離時の状態を示す断面図である。
【図４】同フェイスパッドの使用時の状態を示す断面図である。
【図５】（Ａ）〜（Ｃ）は、この発明の別の実施形態に係るフェイスパッドの製造工程を示す断面図である。
【発明を実施するための形態】
【００１３】
以下にこの発明の実施形態に係るフェイスパッドについて、図面を参照しつつ説明する。図１に示すように、この発明の実施形態に係るフェイスパッド１０は、２枚のシート体１の間に、クリーム状又はゲル状の美容材３を挟んで構成されている。フェイスパッド１０を構成する２枚のシート体１は、それぞれ人の顔面に載置するのに適した所定の形状にされている。
【００１４】
２枚のシート体１は、それぞれ伸縮性及び可撓性を有する不織布等のシート１で構成されており、一例として伸縮性ＰＥＴ（ポリエチレンテレフタレート）の繊維からなる不織布である。伸縮性ＰＥＴの不織布は、縦方向、横方向及び斜め方向に伸縮し、十分な弾力性を備えている。
【００１５】
２枚のシート体１のそれぞれの一方の面には、非透水性を有するフィルム２が貼着されている。フィルム２は、シート体１の一方の面に担持される。フィルム２は、一例として１５μｍ程度の厚さのポリウレタンフィルムである。フィルム２にはポリエチレンフィルムを用いることもでき、溶融したポリエチレンをシート体１の一方の面に塗布した後に乾燥させてシート体１を構成することもできる。但し、１５μｍ程度の厚さのポリウレフィルムは、可撓性を有するため、シート体１の変形に対する追従性に優れている。
【００１６】
クリーム状又はゲル状の美容材３は、フィルム２に塗布された後に容易に流動しない程度の粘性を有し、例えば３００００〜１０００００ｃＳｔ程度の粘度を有するものが好ましい。
【００１７】
図２（Ａ）及び（Ｂ）に示すように、顔面に載置するために適した所定の形状のシート体１よりも十分に大きい面積のシート１Ａの一方の面の全面に接着剤を介してポリウレタンフィルムであるフィルム２を貼着し、フィルム２の上面に美容材３を塗布する。シート１Ａは、ロール状に巻回された長尺のシートであり、ロールから引き出して使用される。
【００１８】
この後、図２（Ｃ）に示すように、フィルム２を一方の面の全面に接着剤を介して貼着した別のシート１Ｂを、そのフィルム２をシート１Ａのフィルム２の上面に塗布された美容材３に対向するように重ね合わせる。これによって、シート１Ａ及びシート１Ｂのそれぞれのフィルム２に美容材３が挟み込まれる。
【００１９】
さらに、図２（Ｄ）に示すように、美容材３を挟み込んだ状態のシート１Ａ及びシート１Ｂからシート体１の所定の形状を切り抜くことで、フェイスパッド１０が形成される。
【００２０】
フェイスパッド１０は、美容材３を２枚のシート体１のそれぞれのフィルム２の間に挟み込んでいるため、使用前に美容材３が他に付着することを防止するための離型紙等を必要としない。
【００２１】
２枚のシート体１は、それぞれのフィルム２が貼着された面を対向させた状態で、互いの間に美容材３を保持している。フィルム２が非透水性を有するため、美容材３はシート体１に浸透することがない。
【００２２】
図３に示すように、２枚のシート体１を分離した時に、２枚のシート体１のそれぞれのフィルム２に塗布されている美容材３の量の和は、分離前の２枚のシート体１の間に保持されていた美容材３の全量に等しい。
【００２３】
これらから、図４に示すように、分離後の２枚のシート体１を顔面２０に載置すると、分離前の２枚のシート体１の間に保持されていた美容材３の全量を無駄なく顔面２０に作用させることができる。このとき、シート体１は、伸縮性ＰＥＴの不織布で構成されているとともに一方の面に貼付されたフィルム２が追従性に優れたポリウレタンフィルムであるため、顔面２０の凹凸に沿って容易に変形し、顔面２０に載置された状態を安定して維持できる。
【００２４】
なお、フィルム２を貼付したシート１Ａを予め所定の形状に裁断して２枚のシート体１を準備しておき、一方のシート体１のフィルム２上に美容材３を塗布した後に、他方のシート体１をそのフィルム２が一方のシート体１に塗布された美容材３に対向するように重ね合わせてフェイスパッド１０を作成することもできる。
【００２５】
また、フィルム２が顔面２０の表面の熱を遮蔽して放熱を阻止する結果、顔面２０とフィルム２との間に位置する美容材３が顔面２０の熱によって温められ、温熱作用によって美容材３による美容効果を増すことができる。
【００２６】
図５（Ａ）〜（Ｃ）に示すように、１枚のシート体１の一方の面にフィルム２を貼付し、フィルム２の上面に美容材３を塗布した後、シート体１をフィルム２が貼付されている面を内側にして２つ折りにして、フェイスパッド１００を形成することもできる。
【００２７】
フェイスパッド１００の使用時には、２つ折りにされたシート体１を拡げることで、美容材３がフィルム２の上面に塗布された状態で露出する。
【００２８】
なお、シート体１の平面形状は、矩形に限るものではなく、シート体１が載置される顔面２０の形状に応じて任意の形状とすることができる。
【００２９】
上記の実施形態はいずれも一例であり、この発明はこれらに限定されるものではなく、この発明の範囲内で種々の変更を加えることが可能である。
【符号の説明】
【００３０】
１−シート体
２−フィルム
３−美容材
１０−フェイスパッド
【図１】
0006632820.tif 000002
【図２】
0006632820.tif 000003
【図３】
0006632820.tif 000004
【図４】
0006632820.tif 000005
【図５】
0006632820.tif 000006